(57)【要約】【課題】取付金物のサッシ枠側取付端部が侵入犯によって容易に破壊されない、高い防犯性を有する遮蔽体の取付装置を提供する。【解決手段】サッシ枠１の室外側に面格子などの遮蔽体２を取り付けるための遮蔽体の取付装置であって、サッシ枠１を形成する左右各縦枠４の室外側端部に取付用凹溝１０を縦枠４の全長にわたって一体形成し、取付用凹溝１０には、一端側取付部３ａが遮蔽体２の枠部に固着される取付金物３の他端側取付部３ｂを取付用凹溝１０の一方の内壁面ａに接するように挿入し、この挿入した取付金物３の他端側取付部３ｂと取付用凹溝１０の他方の内壁面ｂとの間に金属製のクサビ板１１をかち込むことによって、取付金物３の他端側取付部３ｂをサッシ枠１の室外側端部に取り付ける。【選択図】図１
2010261209.tif 000002
【特許請求の範囲】
【請求項１】
建物の窓開口部に設置されるサッシ枠の室外側に面格子などの遮蔽体を取り付けるための遮蔽体の取付装置であって、サッシ枠を形成する左右各縦枠の室外側端部に取付用凹溝を縦枠の全長にわたって一体形成し、この取付用凹溝には、一端側取付部が遮蔽体の枠部に固着される取付金物の他端側取付部を前記凹溝の一方の内壁面に接するように挿入し、この挿入した取付金物の他端側取付部と前記凹溝の他方の内壁面との間に金属製のクサビ板をかち込むことによって、取付金物の他端側取付部をサッシ枠の室外側端部に取り付けるようにしてなる遮蔽体の取付装置。
【請求項２】
前記各縦枠の取付用凹溝には、前記取付金物の他端側取付部と接する側の内壁面の開口端部側に凸段部が形成されると共に、その奥側端部に凹段部が形成され、これら凸段部と凹段部とに凹凸係合する凹部と凸部とが前記取付金物の他端側取付部に形成されている請求項１に記載の遮蔽体の取付装置。
【請求項３】
前記取付金物は、一つの長尺状取付用ブラケットからなる請求項１又は２に記載の遮蔽体の取付装置。
【請求項４】
前記取付金物は、複数の短尺状取付用ブラケットからなる請求項１又は２に記載の遮蔽体の取付装置。
【請求項５】
前記取付金物は、複数のパンチアンカーからなる請求項１又は２に記載の遮蔽体の取付装置。
【請求項６】
前記長尺状取付用ブラケットが挿入される取付用凹溝には、このブラケットとほぼ同じ長さの１つの長尺状クサビ板又は複数の短尺状クサビ板がかち込まれるようになっている請求項３に記載の遮蔽体の取付装置。
【請求項７】
前記パンチアンカーが挿入される取付用凹溝には、このパンチアンカーとほぼ同じ長さの短尺状クサビ板が複数かち込まれるようになっている請求項５に記載の遮蔽体の取付装置。
【請求項８】
前記クサビ板の上端部には、取付用凹溝にかち込んだ時に取付金物の上端部に係止する係止部が折曲突設されていることを特徴とする請求項１〜７の何れかに記載の遮蔽体の取付装置。
【発明の詳細な説明】
【技術分野】
【０００１】
本発明は、建物の窓開口部に設置されるサッシ枠の室外側に、面格子やルーバーなどの遮蔽体を取り付けるための遮蔽体の取付装置に関するものである。
【背景技術】
【０００２】
従来のサッシ枠における遮蔽体の取付装置として、特許公報などの具体的な技術文献を挙げることはできないが、従来より使用されている遮蔽体の取付装置には、図８に示されるようなものがある。即ち、ここに示す取付装置は、一端側取付端部２０ａをビス取付部とし、他端側取付部２０ｂを略Ｕ字状に折曲して挟持部とした取付金物２０からなのもので、建物の窓開口部Ｏに設置されたサッシ枠１を形成する左右各縦枠４の室外側端部に取付金物２０の挟持部２０ｂを嵌め込んで固定すると共に、ビス取付部２０ａを、面格子などの遮蔽体２の左右側枠部にビス２１により取付け固定するようにしたものである。
【０００３】
ところで、サッシ枠の室外側に取り付けられる面格子などの遮蔽体については、特にその取付装置について高い防犯性が必要とされており、そして防犯性の高い取付装置については、「ＣＰマーク」の使用が認められている。なお、ここでいう「ＣＰマーク」のＣＰはcrime prevention（防犯）の略で、ＣＰマークとは、防犯性能の高い建物部品の開発・普及に関する官民合同会議で２００５年に決められた防犯性能試験に合格した建物部品に付けられるマークのことである。
【０００４】
一戸建て住宅やマンションの侵入犯の侵入手口としては、バールやハンマーなどを建物部品に激しく打ち付けて荒っぽく破壊する方法があり、このような方法を行って侵入犯が「侵入に５分以上かかると、侵入犯は侵入をあきらめると」いうデーターにもとづいて、ＣＰマーク認定の防犯性能試験の一つでは、それと同じような方法を行い、５分間で破壊できなければ合格とされ、ＣＰマークが認定されるようになっている。そこで、図８に示すような遮蔽体の取付装置に対し上記防犯性能試験と同様な試験を実施したところ、取付金物２０のサッシ枠側取付端部２０ｂが５分内の短い時間で破壊されてしまい、防犯性能が低いことが分かった。
【発明の概要】
【発明が解決しようとする課題】
【０００５】
本発明は、上記のような課題に鑑み、取付金物のサッシ枠側取付端部が侵入犯によって容易に破壊されることのない、高い防犯性を有する遮蔽体の取付装置を提供することを目的とする。
【課題を解決するための手段】
【０００６】
上記課題を解決するための手段を、後述する実施形態の参照符号を付して説明すると、請求項１に係る発明は、建物の窓開口部Ｏに設置されるサッシ枠１の室外側に面格子などの遮蔽体２を取り付けるための遮蔽体の取付装置であって、サッシ枠１を形成する左右各縦枠４の室外側端部に取付用凹溝１０を縦枠４の全長にわたって一体形成し、この取付用凹溝１０には、一端側取付部が遮蔽体２の枠部に固着される取付金物の他端側取付部を前記凹溝１０の一方の内壁面ａに接するように挿入し、この挿入した取付金物の他端側取付部と前記凹溝１０の他方の内壁面ｂとの間に金属製のクサビ板１１をかち込むことによって、取付金物３の他端側取付部をサッシ枠１の室外側端部に取り付けるようにしてなることを特徴とする。
【０００７】
請求項２は、請求項１に記載の遮蔽体の取付装置において、前記各縦枠４の取付用凹溝１０には、前記取付金物の他端側取付部と接する側の内壁面ａの開口端部側に凸段部１２が形成されると共に、その奥側端部に凹段部１３が形成され、これら凸段部１２と凹段部１３とに凹凸係合する凹部１４と凸部１５とが前記取付金物の他端側取付部に形成されていることを特徴とする。
【０００８】
請求項３は、請求項１又は２に記載の遮蔽体の取付装置において、前記取付金物は、一つの長尺状取付用ブラケット３からなることを特徴とする。
【０００９】
請求項４は、請求項１又は２に記載の遮蔽体の取付装置において、前記取付金物は、複数の短尺状取付用ブラケット３からなることを特徴とする。
【００１０】
請求項５は、請求項１又は２に記載の遮蔽体の取付装置において、前記取付金物は、複数のパンチアンカー１８からなることを特徴とする。
【００１１】
請求項６は、請求項３に記載の遮蔽体の取付装置において、前記長尺状取付用ブラケットが挿入される取付用凹溝１０には、このブラケット３とほぼ同じ長さの１つの長尺状クサビ板又は複数の短尺状クサビ板１１がかち込まれるようになっていることを特徴とする。
【００１２】
請求項７は、請求項５に記載の遮蔽体の取付装置において、前記パンチアンカー１８が挿入される取付用凹溝１０には、このパンチアンカー１８とほぼ同じ長さの短尺状クサビ板１１が複数かち込まれるようになっていることを特徴とする。
【００１３】
請求項８は、請求項１〜７の何れかに記載の遮蔽体の取付装置において、前記クサビ板１１の上端部には、取付用凹溝１０にかち込んだ時に取付金物３，１８の上端部に係止する係止部１１ａが折曲突設されていることを特徴とする。
ことを特徴とする
【発明の効果】
【００１４】
上記解決手段による発明の効果を、後述する実施形態の参照符号を付して説明すると、請求項１に係る発明の遮蔽体取付装置によれば、クサビ板１１をかち込むことによって、取付金物のサッシ側取付部は、取付用凹溝１０の一方の内壁面ａに圧接されて、クサビ板１１と共に縦枠４と一体的に強固に結合されるから、侵入犯によって容易に破壊されることのない高い防犯性を有する。
【００１５】
請求項２に係る発明によれば、取付用凹溝１０の内壁面ａの凸段部１２と凹段部１３が、取付金物側の凹部１４と凸部１５とに夫々係合しているため、取付金物のサッシ側取付部が取付用凹溝１０の内壁面ａに食い付いて、きわめて堅固に結合された状態となると共に、取付用凹溝１０からの抜け出しを有効に阻止され、それによって防犯性を一層高めることができる。
【００１６】
請求項３に係る発明のように、取付金物として、一つの長尺状取付用ブラケット３を使用することができる。
【００１７】
請求項４に係る発明のように、取付金物として、複数の短尺状取付用ブラケット３を使用することができる。
【００１８】
請求項５に係る発明のように、取付金物として、複数のパンチアンカー１８を使用することができる。
【００１９】
請求項６に係る発明のように、長尺状取付用ブラケット３が挿入される取付用凹溝１０には、このブラケット３とほぼ同じ長さの１つの長尺状クサビ板１１をかち込んでもよいし、あるいは短尺状のクサビ板１１を複数本かち込んでもよい。
【００２０】
請求項７に係る発明のように、パンチアンカー１８が挿入される取付用凹溝１０には、このパンチアンカー１８とほぼ同じ長さの短尺状クサビ板１１を複数かち込むことができる。
【００２１】
請求項８に係る発明のように、クサビ板１１の上端部には、取付用凹溝１０にかち込んだ時に取付金物３，１８の上端部に係止するような係止部１１ａを折曲突設しておくことにより、クサビ板１１を取付用凹溝１０にかち込む時に、クサビ板１１が不測に落下したり抜け出たりするおそれがない。
【図面の簡単な説明】
【００２２】
【図１】本発明に係る遮蔽体取付装置を有するサッシ窓全体の横断面図である。
【図２】同サッシ窓全体の縦断面図である。
【図３】(a) は取付金物の取付方法を示す説明図、(b) は取付後状態を示す各拡大断面説明図、(c) は溝形成枠部の取付用凹溝を拡大して示す断面説明図、(d) は戻り止めのないストレート形クサビ板を使用した場合の取付状態を示す断面説明図である。
【図４】取付金物及びクサビ板を示し、特にクサビ板の上下両端部を折り曲げて係止部を形成し、その上下両端係止部を取付金物の上下両端部に係止している状態を示す説明斜視図である。
【図５】本発明に係る遮蔽体取付装置の他の実施形態を示すサッシ窓全体の縦断面図である。
【図６】(a) は取付金物としてパンチアンカーを使用した場合の遮蔽体取付装置を示す拡大横断面図、(b) はパンチアンカーを示す斜視図である。
【図７】従来の遮蔽体取付装置を有するサッシ窓全体の横断面図である。
【発明を実施するための形態】
【００２３】
以下に本発明の好適な一実施形態を図面に基づき説明すると、図１及び図２において、１は建物の窓開口部Ｏに設置されたサッシ枠で、このアルミ製のサッシ枠１の室外側に、遮蔽体としての可動ルーバー面格子２が、アングル形に形成された複数個の短尺状取付用ブラケット（取付金物）３を含む遮蔽体取付装置によって取り付けられている。サッシ枠１は、左右縦枠４，４と上下横枠５，６とによって枠組み形成され、このサッシ枠１内にガラス障子７，７が引き違い式に嵌装されている。尚、可動ルーバー面格子２は、周枠８内に多数のルーバー９を開閉可能に配設してなるもので、ルーバー９の開閉駆動機構については、その図示及び説明を省略する。
【００２４】
本発明に係る遮蔽体取付装置について説明すれば、この遮蔽体取付装置は、図１及び図２に示すように、サッシ枠１を形成する左右各縦枠４の室外側端部に、取付用凹溝１０を縦枠４の全長にわたって形成した溝形成枠部４ａを一体に形成し、この溝形成枠部４ａの取付用凹溝１０に、一端側取付部３ａが面格子２（遮蔽体）の周枠８の縦枠部８ａに固着される取付用ブラケット３の他端側取付部３ｂを前記凹溝１０の一方の内壁面ａ（図３の(c) 参照）に接するように挿入し、この挿入した取付用ブラケット３の他端側取付部３ｂと取付用凹溝１０の他方の内壁面ｂ（図３の(c) 参照）との間に鉄製のクサビ板１１をかち込むことによって、取付用ブラケット３の他端側取付部３ｂをサッシ枠１の室外側端部に取り付けるようにしたものである。
【００２５】
図３の(a) ，(b) ，(c) に示すように、サッシ枠１の各縦枠４の室外側端部に形成された取付用凹溝１０には、取付用ブラケット３の他端側取付部（サッシ側取付部）３ｂと接する側の内壁面ａの開口端部側に凸段部１２が形成されると共に、その奥側端部に凹段部１３が形成され、これら凸段部１２と凹段部１３とに凹凸係合する凹部１４と凸部１５とが取付用ブラケット３の他端側取付部３ｂに形成されている。
【００２６】
このように取付用凹溝１０の内壁面ａの開口端部側に凸段部１２が、その奥側端部に凹段部１３が隣接して形成され、これら凸段部１２と凹段部１３に凹凸係合する凹部１４と凸部１５が取付用ブラケット３の他端側取付部（サッシ側取付部）３ｂに形成されているため、クサビ板１１のかち込みによりブラケット３の他端側取付部３ｂが取付用凹溝１０の内壁面ａに食い付いて取付用凹溝１０内により堅固に固定されることになる。尚、クサビ板１１は、図３の(a) に示すように、片面側に戻り止めｋを複数条設してあるものと、そのような戻り止めｋを有しないストレート形のものがあり、何れを使用してもよい。
【００２７】
図４に示すように、アングル形に形成された取付用ブラケット３の一端側取付部３ａには、面格子２の周枠８の縦枠部８ａにボルト止め又はリベット止めするためのボルト孔１６又はリベット孔が設けられている。また図４に示すように、クサビ板１１の上端部及び下端部には、サッシ枠１の取付用凹溝１０にかち込む時にクサビ板１１が不測に落下したり抜け出たりしないように、取付用ブラケット３の上端部及び下端部に係止する係止部１１ａ，１１ｂが直角に折曲突設されている。この係止部１１ａ，１１ｂはプレス成形により予め形成されるものである。この場合、上端側の係止部１１ａのみで、下端側の係止部１１ｂを省略してもよい。
【００２８】
上記のような構成よりなる遮蔽体取付装置によってサッシ枠１の室外側端部に面格子２を取り付けるには、先ず、サッシ枠１の左右各縦枠４の取付用凹溝１０に取付用ブラケット３を複数個所要間隔おきに取り付ける。各取付用ブラケット３の取付けにあたっては、図３の(a) に示すように、縦枠４の取付用凹溝１０内に取付用ブラケット３の他端側（サッシ）取付部３ｂを挿入して、その凹部１４と凸部１５を取付用凹溝１０側の凸段部１２と凹段部１３に夫々凹凸係合させた後、この挿入した取付用ブラケット３の他端側取付部３ｂと、凹溝１０の他方の内壁面ｂとの間に戻り止めｋ付きのクサビ板１１をかち込み、図３の(a) の仮想線図示及び図３の(b) の実線図示の状態とする。図３の(d) には、戻り止めｋを有しないストレート形のクサビ板１１をかち込んだ場合の同様な状態を示す。
【００２９】
このクサビ板１１のかち込みによって、ブラケット３の他端側（サッシ側）取付部３ｂは、取付用凹溝１０の一方の内壁面ａに圧接されて、クサビ板１１と共に縦枠４の溝形成枠部４ａと一体的に強固に結合される。この場合、取付用凹溝１０の内壁面ａの凸段部１２と凹段部１３がブラケット３側の凹部１４と凸部１５とに夫々係合しているため、ブラケット３の他端側取付部３ｂが取付用凹溝１０の内壁面ａに食い付いて、きわめて堅固に結合された状態となると共に、取付用凹溝１０からの抜け出しを有効に阻止され、それによって防犯性を一層高めることができる。
【００３０】
サッシ枠１の左右各縦枠４の取付用凹溝１０にクサビ板１１を介して取付用ブラケット３を複数個ずつ取り付けた後、各取付用ブラケット３の一端側取付部３ａを、面格子２の周枠８の縦枠部８ａに対し例えばリベット１７により固着する（図１及び図２参照）。
【００３１】
上記のような遮蔽体取付装置によって取り付けられた取付用ブラケット３の取付部３ｂと縦枠４の室外側端部の溝形成枠部４ａとの結合部分に対し、前記したＣＰマーク認定の防犯性能試験とほぼ同様な試験を実施したところ、その結合部分をバールで破壊するのに５分以上を要した。
【００３２】
上述した実施形態の遮蔽体取付装置における取付金物として、図２及び図４に示すような複数個の短尺状取付用ブラケット３を使用したが、取付金物としては、図５の実施形態に示すように一つの長尺状取付用ブラケット３からなるものでもよい。この場合、クサビ板１１は、図５に示すように長尺状取付用ブラケット３とほぼ同じ長さの１本のクサビ板でもよいし、長さの短い複数本のクサビ板を使用してもよい。１本のクサビ板１１の場合には、同図に示すようにクサビ板１１の上端部及び下端部に、取付用ブラケット３の上端部及び下端部に係止する係止部１１ａ，１１ｂを直角に折曲突設するとよい。
【００３３】
図６の(a) は取付金物が(b) に示すようなパンチアンカー１８からなる場合の実施形態を示す。このパンチアンカー１８はステンレス鋼板をプレス加工してアングル形に形成したもので、一端側取付部１８ａが面格子２（遮蔽体）の周枠８の縦枠部８ａに固着され、サッシ枠１側の取付用凹溝１０に挿入される他端側取付部１８ｂは、その先端部が内側に折り曲げられて凸部１５を形成している。１８ｃは補強リブを示す。
【００３４】
サッシ枠１を形成する左右各縦枠４の室外側端部には取付用凹溝１０を縦枠４の全長にわたって形成した溝形成枠部４ａが一体に形成され、取付用凹溝１０には、図６の(a) に示すように、パンチアンカー１８のサッシ側取付部１８ｂと接する側の内壁面ａの開口端部側に凸段部１２が形成されると共に、その奥側端部に凹段部１３が形成され、これら凸段部１２と凹段部１３とに凹凸係合する凹部１４と凸部１５とがパンチアンカー１８のサッシ側取付部１８ｂに形成されている。
【００３５】
この図６の(a) に示すような遮蔽体取付装置によってサッシ枠１の室外側端部に面格子２を取り付けるには、先ず、サッシ枠１を形成する左右各縦枠４の取付用凹溝１０にパンチアンカー１８を複数個所要間隔おきに取り付ける。各パンチアンカー１８の取付けにあたっては、縦枠４側の取付用凹溝１０内にパンチアンカー１８の他端側取付部１８ｂを挿入して、その凹部１４と凸部１５を凹溝１０側の凸段部１２と凹段部１３に夫々凹凸係合させた後、この挿入したパンチアンカー１８の他端側取付部１８ｂと、凹溝１０の他方の内壁面ｂとの間にクサビ板１１をかち込んで、図６の(a) に示すような状態とする。尚、図６の(a) には戻り止めｋ付きのクサビ板１１をかち込んだ場合を例示しているが、ストレート形のクサビ板１１をかち込んでもよい。
【００３６】
このクサビ板１１のかち込みによって、パンチアンカー１８の他端側取付部１８ｂは、取付用凹溝１０の一方の内壁面ａに圧接されて、クサビ板１１とともに縦枠４の溝形成枠部４ａと一体的に強固に結合される。この場合、取付用凹溝１０の内壁面ａの凸段部１２と凹段部１３がパンチアンカー１８側の凹部１４と凸部１５とに夫々係合しているため、パンチアンカー１８の他端側取付部１８ｂが取付用凹溝１０の内壁面ａに食い付いて、きわめて堅固に結合された状態となると共に、凹溝１０からの抜け出しを有効に阻止される。こうしてサッシ枠１の左右各縦枠４の取付用凹溝１０にクサビ板１１を介してパンチアンカー１８を複数個ずつ取り付けた後、各パンチアンカー１８の一端側取付部１８ａを、面格子２の周枠８の縦枠部８ａにリベット又はボルトによって固着する。
【符号の説明】
【００３７】
１            サッシ枠
２            面格子（遮蔽体）
３            取付用ブラケット（取付金物）
３ａ          取付用ブラケット（取付金物）の一端側取付部
３ｂ          取付用ブラケット（取付金物）の他端側取付部
４            サッシ枠の縦枠
４ａ          溝形成枠部
１０          取付用凹溝
１１          クサビ板
１２          凸段部
１３          凹段部
１４          凹部
１５          凸部
【図１】
2010261209.tif 000003
【図２】
2010261209.tif 000004
【図３】
2010261209.tif 000005
【図４】
2010261209.tif 000006
【図５】
2010261209.tif 000007
【図６】
2010261209.tif 000008
【図７】
2010261209.tif 000009